(57)【要約】【課題】効率よく広大なエリアのゴミを収集することのできる、ゴミ収集システムを提供する。【解決手段】複数の輸送管システムと、水上で移動可能なゴミ収集フロートと、を具備し、前記複数の輸送管システムの各々には、ゴミの投入されるゴミ投入部と、沿岸部に設けられたゴミ排出口と、前記ゴミ投入部と前記ゴミ排出口とを接続するゴミ輸送管と、が設けられ、前記ゴミ収集フロートは、前記ゴミ排出口と着脱自在となるように設けられたゴミ受け入れ口と、前記ゴミ受け入れ口から受け入れたゴミを貯留するゴミ貯留庫と、を有し、前記各輸送管システムと前記ゴミ収集フロートとのいずれか一方には、前記ゴミ輸送管内に、前記輸送管システムから前記ゴミ収集フロート側に向かって流れる空気流を生成する送風機が設けられていること。【選択図】図３
2008214014.tif 000002
【特許請求の範囲】
【請求項１】
複数の輸送管システムと、
水上で移動可能なゴミ収集フロートと、
を具備し、
前記複数の輸送管システムの各々は、
ゴミの投入されるゴミ投入部と、
前記ゴミ投入部から投入されたゴミを受け入れ、沿岸部に設けられたゴミ排出口から排出するゴミ輸送管とを備え、
前記ゴミ収集フロートは、
前記ゴミ排出口に対して着脱自在となるように設けられ、ゴミ収集時に収集対象の前記ゴミ輸送管システムの前記ゴミ排出口に接続されてゴミを受け入れるゴミ受け入れ口と、
前記ゴミ受け入れ口から受け入れたゴミを貯留するゴミ貯留庫と、を有し、
前記各輸送管システムと前記ゴミ収集フロートとのいずれか一方には、前記輸送管内に、前記輸送管システムから前記ゴミ収集フロート側に向かって流れる空気流を生成する送風機が設けられている
ゴミ収集システム。
【請求項２】
請求項１に記載されたゴミ収集システムであって、
前記送風機は、前記ゴミ収集フロート側に設けられている
ゴミ収集システム。
【請求項３】
水上に浮遊する浮体と、
前記浮体上に設けられた集じん部と、
を具備し、
前記集じん部は、
ゴミ輸送管のゴミ排出口に対して着脱自在となるように設けられ、ゴミ収集時に、前記ゴミ排出口に接続されてゴミを受け入れるゴミ受け入れ口と、
前記ゴミ受け入れ口から受け入れたゴミを貯留するゴミ貯留庫と、を有する
ゴミ収集フロート。
【請求項４】
請求項３に記載されたゴミ収集フロートであって、
前記集じん部は、更に、
前記受け入れ口と前記ゴミ貯留庫の間に介装され、ゴミから空気を分離する分離機と、
前記分離機で分離された空気を徐塵する徐塵機と、
前記徐塵機で徐塵された空気を脱臭する脱臭装置と、
前記脱臭装置で脱臭された空気を排気する為の排気口と、を有する
ゴミ収集フロート。
【請求項５】
請求項３又は４に記載されたゴミ収集フロートであって、
前記集じん部は、更に、前記受け入れ口から空気を吸引する送風機、を有している
ゴミ収集フロート。
【請求項６】
ゴミの投入されるゴミ投入部と、
前記ゴミ投入部から投入されたゴミを受け入れ、沿岸部に設けられたゴミ排出口から排出するゴミ輸送管と、
を具備し、
前記ゴミ排出口は、水上に浮遊するゴミ収集フロートのゴミ受け入れ口に対して、着脱自在となるように設けられ、ゴミ収集時に前記ゴミ受け入れ口に接続される
輸送管システム。
【請求項７】
請求項６に記載された輸送管システムであって、
前記ゴミ輸送管は、空気を吸引するための吸気口、を有している
輸送管システム。
【請求項８】
請求項６又は７に記載された輸送管システムであって、
前記ゴミ輸送管の少なくとも一部は、着脱自在に設置されている
輸送管システム。
【請求項９】
請求項６乃至８のいずれかに記載された輸送管システムであって、
前記ゴミ輸送管の少なくとも一部分は、地上に露出した露出部になっている
輸送管システム。
【請求項１０】
請求項９に記載された輸送管システムであって、
前記ゴミ輸送管は、地下に埋設された埋設部を有し、
前記露出部と前記埋設部とは、着脱自在に接続されている
輸送管システム。
【請求項１１】
請求項９又は１０に記載された輸送管システムであって、
更に、
前記露出部を覆う様に配置されたベンチ
を有する
輸送管システム。
【請求項１２】
請求項９乃至１１のいずれかに記載された輸送管システムであって、
前記露出部には、背もたれが取り付けられている
輸送管システム。
【請求項１３】
請求項６乃至１２のいずれかに記載された輸送管システムであって、
前記ゴミ投入部は、
地上に設けられたゴミ投入口と、
地下に埋め込まれた箱状のピットと、
前記ゴミ投入口から前記ピット内に向かって延び、地下で前記ゴミ輸送管と着脱自在に接続されるゴミ投入管と、を有し、
前記ゴミ投入管は前記ピットと一体に形成されている
輸送管システム。
【請求項１４】
ゴミ投入部から投入されたゴミを受け入れ、沿岸部に設けられたゴミ排出口から排出するゴミ輸送管とを備えるゴミ輸送管の前記ゴミ排出口に、水上に浮遊するゴミ収集フロートのゴミ受け入れ口を接続する工程と、
前記ゴミ輸送管内に、前記輸送管システムから前記ゴミ収集フロート側に向かって流れる空気流を生成し、前記ゴミ投入部から投入されたゴミを前記ゴミ収集フロートに輸送する工程と、
前記ゴミ収集フロートにおいて、輸送されたゴミを貯留する工程と、
を具備する
ゴミ収集方法。
【請求項１５】
ゴミの投入されるゴミ投入部と、前記ゴミ投入部から投入されたゴミを受け入れゴミ排出口から排出するゴミ輸送管とを、イベント前に設置する設置工程と、
イベント後に、前記ゴミ輸送管の一部を撤去する撤去工程と、
を具備し、
前記設置工程において、前記ゴミ輸送管のうち、イベント後に撤去される予定の領域の少なくとも一部を、地上に露出させて設置する
輸送管システム設置方法。
【請求項１６】
真空輸送式のゴミ収集システムと、
前記ゴミ収集システムの排気口近傍に設けられ、前記排気口から排出される気流をうけて発電を行う風車と、
を具備する
風力発電システム。
【請求項１７】
請求項１６に記載された風力発電システムであって、
前記風車は、
風を受けて回転する受風部と、
前記受風部の回転により発電を行う発電部と、
前記受風部を支持する支持体と、
前記支持体を昇降させる昇降機構と、を備える
風力発電システム。
【請求項１８】
風を受けて回転する受風部と、
前記受風部の回転により発電を行う発電部と、
前記受風部を支持する支持体と、
前記支持体を昇降させる昇降機構と、を備える
風車。
【請求項１９】
真空式のゴミ収集システムを稼動させて、排気口から空気流を排出させる工程と、
前記ゴミ収集システムから排出された空気流を利用して風力発電を行う発電工程と、
を具備する
風力発電方法。
【請求項２０】
請求項１９に記載された風力発電方法であって、
前記発電工程において、風力発電は、前記ゴミ収集システムから排出された空気流により風車の受風部を回転させることで行われ、
更に、
前記発電工程の開始前に、風車の受風部を、前記排気口に面する位置に位置させる工程と、
前記発電工程の実施後に、前記受風部を、自然風の受風可能な位置に移動させる工程と、
を具備する
風力発電方法。
【発明の詳細な説明】
【技術分野】
【０００１】
本発明は、ゴミ収集システムに関し、特に、真空輸送式のゴミ収集システムに関する。
【背景技術】
【０００２】
真空輸送式のゴミ収集システムが知られている（例えば、特許文献１〜３参照）。図１は、従来のゴミ収集システムの構成を示す概略図である。図１に示されるように、このゴミ収集システムは、集じんセンターと、集じんセンターに接続される集じん配管（輸送管）と、輸送管に接続されるゴミ投入口（ダストシュート型投入口、地上型投入口）とを備えている。
【０００３】
集じんセンターは、地上に対して固定された建物の中に設けられ、ゴミ分離機、徐塵機、送風機、脱臭装置、ゴミ圧縮機、及びコンテナ移動装置を有している。輸送管は、地上で人々の生活の邪魔とならない様に、地下に埋めこまれている。ゴミ投入口は、地上や、屋内など、人々が必要に応じてゴミを捨てられるような位置に設けられている。
【０００４】
ゴミ投入口から投入されたゴミは、一旦貯留槽に貯えられる。図１の例では、ダストシュート型投入口から投入されたゴミが、大容量型貯留槽に貯えられ、地上型投入口から投入されたゴミは、小容量型貯留槽に貯えられる。ゴミを収集する場合、集じんセンターの送風機を稼動させ、輸送管内に集じんセンター側ヘ向かって流れる空気流を発生させる。また、ゴミは弁等を介して貯留槽から輸送管に排出され、輸送管内の空気流により集じんセンターまで輸送される。集じんセンターに輸送されたゴミは、ゴミ圧縮機において圧縮されコンテナに貯留された後、コンテナ車により運搬されて処理される。
【０００５】
こうした真空輸送式のゴミ収集システムでは、送風機からの距離が遠くなるに従い、輸送管内に空気流を発生させる際の圧力損失が大きくなる。従って、集じんセンターから離れた位置では、真空輸送式のゴミ収集システムを用いてゴミを収集するために大容量の送風機が必要となる。また、大容量の送風機を稼動させるために、多大なエネルギーが消費されていた。
【０００６】
尚、集じんセンターから離れた場所でもゴミを収集できる真空輸送式のゴミ収集システムとしては、輸送管のゴミ排出口を集じんセンター以外の場所に設置しておき、送風機を有するゴミ収集車両を用いてゴミを収集して回るシステムが挙げられる。
【０００７】
ところで、このような真空輸送式のゴミ収集システムは、通常、住宅地などに設置される。住宅地などに設置されるインフラは、半永久的に使用され、撤去や再設置などの必要性は少ない。従って、輸送管は長期の使用を想定して設計される。例えば、輸送管は地下に埋めこまれ、長年の使用に耐え得るように厚肉化される。輸送管同士の接続部分は、空気漏れ等の防止のために溶接などで一体化される。こうした輸送管は、設置するのにも労力を要する。特許文献４は、設置に要する労力を低減させるための技術を開示している。
【０００８】
長期の使用を見越して設計された真空輸送式のゴミ収集システムは、例えば万博博覧会のイベント会場など、仮設的な使用が求められる地区に設置するのは難しい。しかしながら、イベント会場では、多数の人が来場し、多数のゴミが生じる。従って、イベント期間中には、何らかの形でゴミを収集し、処理する仕組みが必要である。上述のように、真空輸送式のゴミ収集システムは導入し難いので、結局、イベント会場内をゴミ輸送車が走り回り、公園に設置されたゴミ箱や、建物内で集められたゴミが収集される。イベント会場内をゴミ輸送車が走り回るのは、美観の観点から好ましくなく、また、多数箇所で収集を行わなければならないので不便であった。
【０００９】
【特許文献１】実開平６−６３１１号  公報
【特許文献２】特開平１１−３４７５３０号  公報
【特許文献３】特開平９−２７８１０４号  公報
【特許文献４】特公平２−５５３２１号  公報
【発明の開示】
【発明が解決しようとする課題】
【００１０】
従って本発明の目的は、効率よく広大なエリアのゴミを収集することのできる、ゴミ収集システムを提供することにある。
【００１１】
本発明の他の目的は、仮設的に使用することのできる、ゴミ収集システムを提供することにある。
【００１２】
本発明の更に他の目的は、イベント期間中に、美観を損ねず、効率よくごみを収集することのできる、ゴミ収集システムを提供することにある。
【００１３】
本発明の更に他の目的は、エネルギーを有効に利用してゴミ収集システムを運転できる技術を提供することにある。
【課題を解決するための手段】
【００１４】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１５】
本発明にかかるゴミ収集システム（１００）は、複数の輸送管システム（１）と、水上で移動可能なゴミ収集フロート（３）と、を具備する。複数の輸送管システム（１）の各々は、ゴミの投入されるゴミ投入部（１３、２０）と、ゴミ投入部（１３、２０）から投入されたゴミを受け入れ、沿岸部に設けられたゴミ排出口（２）から排出するゴミ輸送管（１１）とを備え、ゴミ輸送管（１１）とを備える。ゴミ収集フロート（３）は、ゴミ排出口（２）に対して着脱自在となるように設けられ、ゴミ収集時に収集対象の輸送管システム（１）のゴミ排出口（２）に接続されてゴミを受け入れるゴミ受け入れ口（４０）と、ゴミ受け入れ口（４０）から受け入れたゴミを貯留するゴミ貯留庫（３７）と、を有する。各輸送管システム（１）とゴミ収集フロート（３）とのいずれか一方には、ゴミ輸送管（１１）内を、輸送管システム（１）からゴミ収集フロート（３）側に向かって流れる空気流を生成する送風機（３８）が設けられている。
【００１６】
この発明によれば、水上を移動可能なゴミ収集フロート（３）を用いることで、広エリアを複数の輸送管システム（１）に分割してゴミを収集することができる。また、ゴミ収集車などと異なり、ゴミ収集フロート（３）に貯えられるゴミも大規模にできるので、こまめに貯留したゴミを処理する必要もなく、広大なエリアのゴミを効率よく収集することができる。
【００１７】
上記のゴミ収集システムにおいて、送風機（３８）は、ゴミ収集フロート（３）側に設けられていることが好ましい。
【００１８】
本発明にかかるゴミ収集フロート（３）は、水上に浮遊する浮体（３９）と、浮体（３９）上に設けられた集じん部（７）と、を具備する。集じん部（７）は、ゴミ受け入れ口（４０）と、ゴミ受け入れ口（４０）から受け入れたゴミを貯留するゴミ貯留庫（３７）と、を有する。ゴミ受け入れ口（４０）は、ゴミ輸送管（１１）のゴミ排出口（２）に対して着脱自在となるように設けられ、ゴミ収集時にゴミ排出口（２）に接続される。
【００１９】
このゴミ収集フロート（３）において、集じん部（７）は、更に、受け入れ口（４０）とゴミ貯留庫（３７）の間に介装され、ゴミから空気を分離する分離機（３２）と、分離機（３２）で分離された空気を徐塵する徐塵機（３３）と、徐塵機（３３）で徐塵された空気を脱臭する脱臭装置（３４）と、脱臭装置（３４）で脱臭された空気を排気する為の排気口（３５）と、を有していることが好ましい。
【００２０】
また、集じん部（７）は、更に、受け入れ口（４０）から空気を吸引する送風機（３８）、を有することが好ましい。このように、集じん部（７）側に送風機（３８）を設けると、ゴミ輸送時に吸引方式でゴミの輸送が行われることになる。吸引させてゴミを輸送すれば、空気漏れ等が発生しても噴出すことが無く安全である。また、ゴミ輸送管が分岐している場合等でも、最低限の台数の送風機で対応することができる。
【００２１】
本発明にかかる輸送管システム（１）は、ゴミの投入されるゴミ投入部（１３、２０）と、ゴミ投入部（１３、２０）から投入されたゴミを受け入れ、沿岸部に設けられたゴミ排出口（２）から排出するゴミ輸送管（１１）と、を具備する。ゴミ排出口（２）は、水上に浮遊するゴミ収集フロート（３）のゴミ受け入れ口（４０）に対して着脱自在となるように設けられ、ゴミ収集時においてゴミ受け入れ口（４０）に接続される。
【００２２】
この輸送管システム（１）において、ゴミ輸送管（１１）は、空気を吸引するための吸気口（１７）、を有していることが好ましい。
【００２３】
また、ゴミ輸送管（１１）の少なくとも一部は、着脱自在に設置されていることが好ましい。ゴミ輸送管（１１）の一部を着脱自在に設置すると、撤去時に撤去し易くなる。
【００２４】
また、ゴミ輸送管（１１）の少なくとも一部分は、地上に露出した露出部（１２）になっていることが好ましい。露出部（１２）を撤去する場合、地面を掘り返す必要が無く、地上での作業のみで簡単に撤去することができる。
【００２５】
ここで、ゴミ輸送管（１１）は、地下に埋設された埋設部を有し、露出部（１２）とその埋設部とは、着脱自在に接続されていることが好ましい。露出部（１２）を埋設部と着脱自在にしておくことにより、露出部（１２）を撤去するにあたって、より簡単に撤去できる様になる。
【００２６】
さらに、この輸送管システム（１）は、露出部（１２）を覆う様に配置されたベンチ（１８）を有することが一の観点から好ましい。他の一の観点からは、露出部（１２）には、背もたれ（１９）が取り付けられていることが好ましい。このように、露出部（１２）を覆う様にベンチを配置すれば、露出部（１２）が美観を損ねる事がない。また、背もたれ（１９）を取りつけておけば、露出部（１２）をベンチとして有効利用できる。
【００２７】
また、この輸送管システム（１）において、ゴミ投入部（１３）は、地上に配置されたゴミ投入口（２２）と、地下に埋め込まれた箱状のピット（２１）と、ゴミ投入口（２２）からピット（２１）内に向かって延び、地下でゴミ輸送管（１１）と着脱自在に接続されるゴミ投入管（２４、２５）と、を有し、ゴミ投入管（２４、２５）はピット（２１）と一体に形成されていることが好ましい。
【００２８】
本発明にかかるゴミ収集方法は、ゴミ投入部（１３、２０）から投入されたゴミを受け入れ、沿岸部に設けられたゴミ排出口（２）から排出するゴミ輸送管（１１）のゴミ排出口（２）に、水上に浮遊するゴミ収集フロート（３）のゴミ受け入れ口（４０）を接続する工程と、ゴミ輸送管（１１）内に、輸送管システム（１）からゴミ収集フロート（３）側に向かって流れる空気流を生成し、ゴミ投入部（１３、２０）から投入されたゴミをゴミ収集フロート（３）に輸送する工程と、ゴミ収集フロート（３）において、輸送されたゴミを貯留する工程と、を具備する。
【００２９】
本発明にかかる輸送管システム設置方法は、イベント前に、ゴミの投入されるゴミ投入部（１３、２０）と、ゴミ投入部から投入されたゴミを受け入れ、ゴミ排出口（２）から排出するゴミ輸送管（１１）とを設置する設置工程と、イベント後に、ゴミ輸送管（１１）の一部を撤去する撤去工程と、を具備する。その設置工程において、ゴミ輸送管（１１）のうち、イベント後に撤去される予定の領域の少なくとも一部を、地上に露出させて設置する。
【００３０】
本発明にかかる風力発電システム（５）は、真空輸送式のゴミ収集システム（６）と、ゴミ収集システム（６）の排気口（６５）近傍に設けられ、排気口（６５）から排出される気流をうけて発電を行う風車（５５）と、を具備する。これにより、真空輸送式のゴミ収集システム（６）の排気を利用して、風力発電を行うことができる。
【００３１】
この風力発電システム（５）において、風車（５５）は、風を受けて回転する受風部（５２）と、受風部の回転により発電を行う発電部（５３）と、受風部（５２）を支持する支持体（５１）と、支持体（５１）を昇降させる昇降機構（５６）と、を備えることが好ましい。このように、昇降機構（５６）を設けることによって、受風部（５２）の位置を昇降させることができる。その結果、ゴミ収集システム（６）が稼動し、排気口（６５）から排気が行われている時には、排気口による発電を行い、ゴミ収集システム（６）が稼動していないときには、受風部（５２）を昇降させて自然風によって発電させることができる。
【００３２】
本発明にかかる風車（５５）は、風を受けて回転する受風部（５２）と、受風部（５２）の回転により発電を行う発電部（５３）と、受風部（５２）を支持する支持体（５１）と、支持体（５１）を昇降させる昇降機構（５６）と、を備える。
【００３３】
本発明にかかる風力発電方法は、真空式のゴミ収集システム（６）を稼動させて、排気口（６５）から空気流を排出させる工程と、排出された空気流を利用して風力発電を行う発電工程と、を具備する。
【００３４】
この風力発電方法は、その発電工程において、発電が、排出された空気流により風車の受風部（５２）を回転させることで行われ、更に、そのゴミ発電工程の開始前に、風車の受風部（５２）を、排気口（６５）に面する位置に位置させる工程と、そのゴミ発電工程の実施後に、受風部（５２）を、自然風の受風可能な位置に移動させる工程と、を具備することが好ましい。
【発明の効果】
【００３５】
本発明によれば、効率よく広大なエリアのゴミを収集することのできる、ゴミ収集システムが提供される。
【００３６】
本発明によれば、更に、イベント終了後に簡単に撤去することのできる、ゴミ収集システムが提供される。
【００３７】
本発明によれば、更に、イベント期間中に、美観を損ねず、効率よくごみを収集することのできる、ゴミ収集システムが提供される。
【００３８】
本発明によれば、更に、エネルギーを有効に利用してゴミ収集システムを運転できる技術が提供される。
【発明を実施するための最良の形態】
【００３９】
以下に、図面を参照しつつ、本発明の実施形態について説明する。
【００４０】
（第１の実施形態）
（ゴミ収集システム）
図２は、本実施形態のゴミ収集システム１００の構成を概略的に描いた模式図である。このゴミ収集システム１００は、万国博覧会などの一次的なイベント会場に設置されるものであり、そのイベント会場には河川が流れているものとする。
【００４１】
ゴミ収集システム１００は、河川上に浮かぶゴミ収集フロート３と、陸地に設けられた複数の輸送管システム１（１ａ〜１ｄ）とを有している。各輸送管システム１は、沿岸部に、ゴミ排出用の排出口２（２ａ〜２ｄ）を備えている。ゴミ収集フロート３は、牽引船４に曳かれることで河川を移動可能であり、排出口２とドッキング可能となっている。
【００４２】
図３は、１の輸送管システム１にゴミ収集フロート３が接続された状態を示す概略模式図である。図３を参照しつつ、ゴミ収集フロート３と輸送管システム１の構成について説明する。
【００４３】
（ゴミ収集フロート）
ゴミ収集フロート３は、浮体３９と、浮体３９上に設置された集じん部７とを備えている。
【００４４】
浮体３９は、例えば、浮島と呼ばれる、鉄製の直方体ブロックを複数個水上に並べたものであり、集じん部７を搭載するのに十分な浮力を有している。
【００４５】
集じん部７は、受け入れ管３１と、分離機３２と、徐塵機３３と、送風機３８と、脱臭装置３４と、排気口３５と、ゴミ圧縮機３６と、ゴミ貯蔵庫３７と、移動装置４１とを有している。
【００４６】
ゴミ受け入れ管３１の一端は、ゴミ受け入れ口４０となっており、排出口２に対して着脱自在に設計されている。受け入れ管３１の他端は分離機３２に接続されている。これにより、ゴミ受け入れ口４０から導入されたゴミが、分離機３２に輸送される様になっている。
【００４７】
分離機３２は、ゴミを空気と分離するためのものであり、例えばサイクロン式の分離機に例示される。徐塵機３３は、配管を介して分離機３２の上部に接続されており、分離された空気を徐塵する機能を有している。
【００４８】
送風機３８は、徐塵機３３の下流側に接続されている。送風機３８が稼動すると、ゴミ受け入れ口４０から集じん部７内に向けて空気が吸引される。これにより、後述するゴミ輸送管１１内に、ゴミ収集フロート３側に向けて流れる空気流が発生する。尚、送風機３８は、ゴミ輸送管システム１１側に配置されており、ゴミ輸送管１１側からゴミ収集フロート３側に向けて空気が噴出される様にしてもよい。但し、本実施形態で説明する様に、送風機８をゴミ収集フロート３側に設け、吸引によりゴミを収集する方が好ましい。
【００４９】
脱臭装置３４は、送風機３８の下流側に設けられており、送風機３８を介して送られてきた空気を脱臭する。排気口３５は、脱臭装置３４の下流側に設けられている。脱臭装置３４で脱臭された空気は、排気口３５を介して外部に排気される。
【００５０】
ゴミ圧縮機３６は、分離機３２の下部に設けられており、分離機３２内を落下したゴミを圧縮し、ゴミ貯留庫３７に貯留するためのものである。尚、ゴミ貯留庫３７が、ゴミを圧縮する機能を有していてもよい。移動装置４１は、ゴミ貯留庫３７を移動させる為のものである。
【００５１】
（輸送管システム）
続いて、輸送管システム１について説明する。輸送管システム１には、ゴミ輸送管１１と、第１の投入部１３と、第２の投入部２０と、吸気口１７とが設けられている。尚、図３においては示されていないが、ゴミ輸送管１１は分岐していてもよい。
【００５２】
ゴミ輸送管１１の一端は沿岸部に配置されており、ゴミ排出用の排出口２となっている。既述のように、この排出口２は、ゴミ収集フロート３の受け入れ口４０と着脱自在に設計されている。
【００５３】
ゴミ輸送管１１の大半が陸地の地下に埋めこまれているが、イベント終了後に撤去される予定の領域の一部は地上に露出しており、露出部１２となっている。
【００５４】
第１の投入部１３及び第２の投入部２０は、ゴミを投入するための設備である。第１の投入部１３、第２の投入部２０のそれぞれは、貯留槽、弁等を介してゴミ輸送管１１に接続されており、弁等を開くことで投入されたゴミをゴミ輸送管１１に導入できる様になっている。
【００５５】
吸気口１７は、ゴミ輸送管１１の一端に設けられており、大気をゴミ輸送管１１内に取り入れることができる様になっている。
【００５６】
以上のような構成を有するゴミ収集システムにおいてゴミを収集する場合、まず、牽引船４により、ゴミ収集フロート３を、目的とする輸送管システム１の沿岸近傍まで牽引する。そして、図３で示した様に、輸送管システム１の排出口２と、ゴミ収集フロート３のゴミ受け入れ口４０とを接続する。
【００５７】
次ぎに、投入部（１３、２０）とゴミ輸送管１１との接続部分に設けられた弁などを開き、ゴミをゴミ輸送管１１内に導入する。尚、ゴミを投入する際に、真空輸送専用のゴミ袋に詰めてゴミを投入する様にすれば、より低い風量で重いゴミを輸送することができる様になる。
【００５８】
ゴミを輸送管に導入する前に、ゴミ収集フロート３の送風機３８を稼動させる。これにより、ゴミ輸送管１１内に空気流が発生し、ゴミがゴミ収集フロート３へ輸送される。
【００５９】
ゴミ収集フロート３に輸送されたゴミは、分離機３２に導入され、ゴミのみが重量物として落下してゴミ圧縮機３６にて圧縮され、ゴミ貯留庫３６に貯えられる。一方、空気は、徐塵機３３で徐塵され、脱臭装置３４で脱臭され、排気口３５から外部に排気される。この輸送管システム１におけるゴミを収集し終えると、送風機８が停止される。そして、牽引船４により、ゴミ収集フロート３が次ぎの輸送管システム１へと牽引され、同様の処理を繰り返す。
【００６０】
（露出部）
続いて、輸送管システム１の露出部１２の構成について詳細に説明する。図４（ａ）は、露出部１２の構成を概略的に示した上面図であり、図４（ｂ）はその概略側面図であり、図４（ｃ）は、その概略断面図である。尚、これらの図面において、ゴミ輸送管１１は筐体１８に覆われていて実際には見えないが、説明の便宜上、透視させて示してある。
【００６１】
図４（ａ）、（ｂ）に示されるように、露出部１２において、ゴミ輸送管１１は地上に露出している。露出部１２のゴミ輸送管１１の接続部１０は、筒状の継手ユニット（図示せず）により覆われており、これにより固定されている。ここで、接続部１０においては、例えば溶接などにより一体的に接続されているのではなく、継手ユニットを外すことで容易に取り外しのできるよう、着脱自在に接続されている。
【００６２】
また、図４（ａ）〜（ｃ）に示されるように、露出部１２は、筐体１８を有しており、筐体１８によってゴミ輸送管１１が覆われている。筐体１８は、露出部１２を隠すとともに、ベンチとして用いることができる様に配置されている。尚、図４（ｄ）に示されるように、筐体１８に代えて、背もたれ１９を設けてもよい。背もたれ１９を設けることで、ゴミ輸送管１１自体をベンチとして使用することができる。
【００６３】
このように、イベント終了後に撤去される領域を露出させておけば、撤去時に地面を掘り返す必要が無く、簡単に取り外すことができる。また、露出部１２を埋設部分と別部材とし、接続部１０を着脱自在としておくことにより、更に簡単に取り外すことができる様になる。また、筐体１８を設けておくことで、露出部１２をベンチとして用いることができ、イベント時に露出部１２が邪魔とならず、美観も損ねない。
【００６４】
（ゴミ投入部）
続いて、ゴミ投入部（１３、２０）について説明する。第１の投入部１３は、主に屋外に設けられる地上型のゴミ投入部である。第２の投入部２０は、主に複数階層の建物内のゴミを回収するためのダストシュート型ゴミ投入部である。
【００６５】
まず、図５を参照しつつ、第１の投入部１３について説明する。図５（ｂ）は、第１の投入部１３の構成を示す概略断面図であり、図５（ａ）は上面図である。尚、一部の構成は外部からは見えないが、説明の便宜上、透視させて示してある。
【００６６】
図５（ａ）、（ｂ）に示されるように、第１の投入部１３は、ピット２１、投入口２２、ダンパー２３、投入管（貯留筒２４及び輸送管２５）、ハンガー２８を備えている。また、図示されていないが、ピット２１内には、制御盤、照明機器、浸入水探知フロートなどの機器も取り付けることが好ましい。
【００６７】
ピット２１は、箱状であり、地下に埋めこまれている。ピット２１は、例えば鉄製のものが用いられる。
【００６８】
投入管（貯留筒２４及び輸送管２５）は、ピット２１と溶接等により一体に取り付けられている。貯留筒２４は、投入口２２から投入されたゴミを一時的に貯えておく為の筒である。貯留筒２４は、ピット２１の内部から地上に向かって突き出ており、地上側の端部で投入口２２と接続されている。また、貯留筒２４は、ピット２１の内部において、ダンパー２３を介して輸送管２５に接続されている。
【００６９】
輸送管２５は、ダンパー２３の下部において、略水平方向に延びるように取り付けられている。輸送管２５は、ピット２１内から、水平方向両側に向かって突き出しており、ピット２１の外でゴミ輸送管１１に接続されている。
【００７０】
図５（ｃ）は、輸送管２５とごみ輸送管１１との接続部分の構成を示す概略図である。輸送管２５とゴミ輸送管１１との接続部分は、筒状の継手ユニット２６により覆われている。輸送管２５とゴミ輸送管１１とは、溶接などにより一体化されているのではなく、露出部１２の段で説明したのと同じように着脱自在に接続されている。
【００７１】
第１の投入部１３を設置するにあたっては、まず工場内において、投入口２２、ダンパー２３、貯留筒２４、輸送管２５、及びハンガー２８を、ピット２１と一体に作製する。ピット２１に取りつけられる諸設備（制御盤、照明機器等）も、工場内で取りつけられる。そして、図５（ｄ）に示されるように、ハンガー２８をクレーン２７で吊り下げ、設置予定の位置に埋設し、輸送管２５をゴミ輸送管１１に接続する。このような設置方法によれば、埋設現場ではピット２１を埋設するだけでよく、管を接続するためにピット２１の壁を貫通させたり、ピット２１内で諸設備を取りつけたりする必要がない。従って、埋設現場での設置作業の労力や埋設現場における工事スペースを低減でき、好ましい。
【００７２】
再び図３に戻り、第２の投入部２０について説明する。第２の投入部２０は、複数階の建物１４の各階に設けられている。第２の投入部２０は、各階に設けられた投入口１５と、貯留槽１６とを有している。各投入口１５は、配管を介して貯留層１６に接続されている。この貯留槽１６は、弁を介して、ゴミ輸送管１１に接続されている。このような構成により、各階の投入口１５から投入されたゴミは、配管中を落下して貯留槽１６に一次的に貯えられる。ゴミ収集時には、貯留槽１６とゴミ輸送管１１とを接続する弁が開かれ、貯留槽１６からゴミ輸送管１１へゴミが排出される。尚、この図３では、貯留槽１６として大容量型貯留槽が例示されているが、発生するゴミ量が少なければ、小容量型貯留槽を用いてもよい。
【００７３】
以上説明した本実施形態のゴミ収集システム１００によれば、水上を移動することのできるゴミ収集フロート３を用いているので、広大なエリアを複数の領域（複数の輸送管システム１）に分割して、ゴミを収集することができる。このため、一の輸送管システム１に配置されるゴミ輸送管１１を長くする必要性が少なくなり、広大なエリアで発生するゴミを収集し易くなる。
【００７４】
また、水上の浮体上に集じん部７を設置するので、従来のゴミ収集車両を用いた場合と比較すると、集じん部７に搭載される送風機８を吸引能力の高いものにすることができる。従って、一の輸送管システム１におけるゴミ輸送管１１の長さを延長することができ、一の輸送管システム１で大容量のゴミを収集することができる。また、ゴミ収集車両と比較して、集じん部７に貯えられるゴミ容量も増やすことができるので、こまめに集じん部７に貯蓄されたゴミを搬出、処理しなくてもよい。更には、イベントの会場、敷地内をゴミ収集車両が走り回る必要が無いので、安全性の面からも好ましい。
【００７５】
また、イベント会場において、ゴミ輸送管１１の大部分は地下に埋めこまれており、露出部１２もベンチとして有効利用できるので、美観の観点からも問題とならない。
【００７６】
更に、イベント後に撤去される部分を露出部１２とし、埋設部分に対して着脱自在としているので、イベント終了後に簡単に撤去することができる。また、地上型の投入口（第１の投入部１３）も、ゴミ輸送管１１に対して着脱自在に取りつけられているので、イベント終了後に必要に応じて簡単に撤去することができる。
【００７７】
以上、本発明の第１の実施形態について説明した。但し、本実施形態は必要に応じて工夫を施して用いることができる。
【００７８】
例えば、本実施形態では、ゴミ収集システム１００を河川の流れるイベント会場に適用する場合について説明したが、必ずしもこれに限られず適用可能である。すなわち、河川に限られず、海や湖に隣接するエリアに適用してもよい。また、イベント会場に限定されず、水上領域近傍であれば、通常の住宅域等に適用することもできる。この場合、イベント後に撤去し易くなる、という作用は得られ難くなるものの、広大なエリアで発生するゴミを効率よく収集できるという作用は奏することができる。
【００７９】
また、露出部１２をイベント後に撤去される予定の領域として説明したが、必ずしも撤去されずに、ベンチとしてそのまま利用され続けてもよい。更に、露出部１２を埋設部分と別部材にして着脱自在とした場合について説明したが、埋設部分の一部を別部材として、他の部分と着脱自在にしてもよい。この場合、撤去する際に地下を掘り返す必要はあるものの、溶接などで一体化されている場合よりは簡単に撤去できる。
【００８０】
（第２の実施形態）
続いて、図６を参照しつつ、本発明の第２の実施形態について説明する。本実施形態は、真空式のゴミ収集ステムを用いた風力発電システム５である。図６に示されるように、この風力発電システム５は、ゴミ収集システム６と、風車５５とを備えている。
【００８１】
ゴミ収集システム６は、ゴミ輸送管に接続された分離機６２と、送風機６８と、徐塵機６３と、脱臭装置６４と、排気口６５と、ゴミ圧縮機６６と、コンテナ６９と、移動装置６７とを備えている。これらの構成は、第１の実施形態における集じん部７の構成と同様であり、詳細な説明は省略する。
【００８２】
風車５５は、ゴミ収集システム６の排気口６５近傍に設けられている。風車５５は、受風部５２と、発電部５３と、支持体５１と、昇降機構５６、向き調整機構５７とを備えている。
【００８３】
受風部５２は、風を受けて回転する羽根を有している。発電部５３は、受風部５２の回転を利用して発電する機能を有している。発電部５３は、図示されない送電ケーブルを介して、風車５５の外部装置と電気的に接続されている。支持体５１は、受風部５２を支持するものである。昇降機構５６は、支持体５１を昇降させるものである。昇降機構５６が駆動すると、支持体が上下方向に昇降し、これにより受風部５２も昇降する。向き調整機構５７は、自然風の風向きを検知して、受風部５２の向きを風向きに合わせて調整するものである。
【００８４】
このような構成を有する風力発電システム５の動作方法について説明する。まず、昇降機構５６によって、受風部５２の高さが排気口６５に面するような高さに調整される。次ぎに、ゴミ収集システム６の送風機８が稼動し、排気口６５から空気が排出される。この時、排気口６５に面するように受風部５２が配置されているので、受風部５２の羽根が回転し、発電部５３において発電が行われる。
【００８５】
ゴミ収集システム６の稼動が終わると、再び昇降機構５６が駆動して、受風部５２の高さが、ゴミ収集システム６に面しない高さにまで調整される。更に、向き調整気候５７により、自然風の風向きが検知され、受封部５２の向きが調整される。これにより、受風部５２は、自然風を略正面から受けて回転し、発電部５３において発電が行われる。
【００８６】
以上説明した様に、本実施形態によれば、ゴミ収集システム６の排気口近傍に風車５５を配置することによって、ゴミ収集システム６からの排気を利用して発電を行うことができる。
【００８７】
また、受風部５２の高さを調整できる様にすることで、ゴミ収集システム６が稼動しているときのみ、ゴミ収集システム６からの排気を利用して発電を行い、それ以外の時には自然風を利用して発電を行うことができる様になる。
【００８８】
尚、本実施形態は、第１の実施形態と組み合わせて用いることも可能である。例えば、ゴミ収集システム６部分を第１の実施形態におけるゴミ収集フロート３とし、風車５を各輸送管システムに対応させて河川に設置すれば、各輸送管システム１でゴミ収集を行う毎に、風車５によって発電を行うことができる。
【図面の簡単な説明】
【００８９】
【図１】従来のゴミ収集システムの構成を示す概略図である。
【図２】第１の実施形態に係るゴミ収集システムの構成を示す概略図である。
【図３】第１の実施形態に係るゴミ収集システムの構成を示す概略図である。
【図４】露出部の構成を示す概略図である。
【図５】第１の投入部を示す概略図である。
【図６】第２の実施形態に係る風力発電システムの構成を示す概略図である。
【符号の説明】
【００９０】
１      輸送管システム
２      ゴミ排出口
３      ゴミ収集フロート
４      牽引船
５      風力発電システム
６      ゴミ収集システム
７      集じん部
１０    接続部
１１    ゴミ輸送管
１２    露出部
１３    第１の投入部
１４    建物
１５    投入口
１６    貯留槽
１７    吸気口
１８    筐体（ベンチ）
１９    背もたれ
２０    第２の投入部
２１    ピット
２２    投入口
２３    ダンパー
２４    貯留筒
２５    輸送管
２６    継手ユニット
２７    クレーン
２８    ハンガー
３１    受け入れ管
３２    分離機
３３    徐塵機
３４    脱臭装置
３５    排気口
３６    ゴミ圧縮機
３７    ゴミ貯留庫（コンテナ）
３８    送風機
３９    浮体
４０    ゴミ受け入れ口
４１    移動装置
５１    支持体
５２    羽根部
５３    発電部
５４    固定体
５５    風車
５６    昇降機構
５７    向き調整機構
６２    分離機
６３    徐塵機
６４    脱臭装置
６５    排気口
６６    ゴミ圧縮機
６７    移動装置
６８    送風機
６９    コンテナ
【図１】
2008214014.tif 000003
【図２】
2008214014.tif 000004
【図３】
2008214014.tif 000005
【図４】
2008214014.tif 000006
【図５】
2008214014.tif 000007
【図６】
2008214014.tif 000008